(57)【特許請求の範囲】
【請求項１】
路側無線装置を介してセンター装置と無線通信を行ってサービス提供元のサービス開始時間からサービス中断時間又は当該サービス開始時間からサービス終了時間までの時間を示すサービス時間期間を含むサービス時間情報を受信する通信部と、
現在時刻を計時する計時部と、
前記現在時刻、前記サービス開始時間及び予め定められた第１の規定時間を参照し、前記現在時刻から前記サービス開始時間までの時間が前記第１の規定時間内であるか否かを判別し、
前記現在時刻から前記サービス開始時間までの時間が前記第１の規定時間内でないと判別された場合に、前記現在時刻、前記サービス終了時間及び予め定められた第２の規定時間を参照し、前記現在時刻から前記サービス終了時間までの時間が前記第２の規定時間内であるか否かを判別し、前記第２の規定時間内であると判別された場合に、前記現在時刻、前記現在時刻以降のサービス開始時間及び予め定められた第３の規定時間を参照し、前記現在時刻から前記現在時刻以降のサービス開始時間までの時間が前記第３の規定時間内であるか否かを判別する判別部と、
前記判別部により前記現在時刻から前記サービス開始時間までの時間が前記第１の規定時間内であると判別された場合は、前記サービス開始時間を出力させ、前記判別部により前記現在時刻から前記現在時刻以降のサービス開始時間までの時間が前記第３の規定時間内であると判別された場合、前記サービス中断時間を出力させる制御部と、
を備える車載器。
【請求項２】
前記判別部は、
前記現在時刻と前記サービス時間期間とを比較し、前記現在時刻が前記サービス時間期間中であるか否かを判別し、
前記制御部は、
前記判別部により前記現在時刻が前記サービス時間の期間中であると判別された場合は、前記サービス開始時間を出力させる請求項１記載の車載器。
【請求項３】
前記制御部は、
前記判別部により前記現在時刻から前記現在時刻以降のサービス開始時間までの時間が前記第３の規定時間以内でないと判別された場合、前記サービス終了時間を出力させる請求項１又は２に記載の車載器。
【請求項４】
現在位置情報を取得する現在位置取得部を備え、
前記判別部は、
前記通信部を介して受信されたサービス提供元の位置情報と前記現在位置取得部により取得された現在位置情報とを比較し、前記位置情報が前記現在位置情報から規定範囲外であるか否かを判別し、
前記制御部は、
前記位置情報が前記現在位置から規定範囲外であると判別された場合に、前記サービス時間情報を出力させない請求項１に記載の車載器。
【請求項５】
情報を表示する表示部を備え、
前記判別部は、
前記現在時刻と前記サービス時間期間とを比較し、前記現在時刻が前記サービス時間期間中であるか否かを判別し、
前記制御部は、
前記判別部により前記現在時刻が前記サービス時間期間中であると判別された場合は、サービス中の提供元がリストされたサービス中リストにサービス中の提供元を追加して前記表示部に表示させる請求項１に記載の車載器。
【発明の詳細な説明】
【技術分野】
【０００１】
本発明は、車載器に関する
【背景技術】
【０００２】
従来、路上に設置された路側無線装置と車両に搭載された車載器から構成され、路側無線装置と車載器の間で双方向の無線通信を行う路車間通信システムが知られている。この路車間通信システムでは、例えば、ＤＳＲＣ（登録商標）（Dedicated Short Range Communication）と呼ばれる狭域通信方式が採用されている。
車載器は、路側無線装置と狭域無線通信を行い、当該路側無線装置を介してセンター装置から情報提供を受けることが可能となっている。すなわち、車両が路側無線装置の通信範囲内にある間のみ、車載器と路側無線装置との双方向通信が可能となり、この間にセンター装置から路側無線装置を介して車載器にコンテンツ情報が配信される。
【０００３】
上述した路車間通信システムの利用形態の一つとして、センター装置（サービス事業者）から車載器に対して、路側無線装置周辺の特定地域において有用なコンテンツ情報（例えば、周辺にある店舗や駐車場、医療機関等の地域情報、広告等）を配信させることが提案されている。また、センター装置から配信されたコンテンツ情報を車載器で蓄積し、車載器が路側無線装置と通信できない環境（通信エリア外）においても、ユーザの操作により呼び出して、又は自動的に、蓄積されているコンテンツ情報を再生させる技術が提案されている（例えば、特許文献１）。
【特許文献１】特開２００７−１０９０３２号公報
【発明の開示】
【発明が解決しようとする課題】
【０００４】
コンテンツ情報には上述のように様々な情報（例えば、周辺にある店舗や駐車場、医療機関等の地域情報、広告等）が含まれる。このとき、コンテンツ情報に含まれる情報としてサービス時間情報（例えば、サービス提供時間情報、営業時間情報等）等を含めることも検討されている。このような蓄積されたコンテンツ情報にアクセスする方法として、コンテンツ情報に階層構造を持たせ、ユーザは、その階層構造を辿ることにより所望のコンテンツにすることが考えられるが、この方法では現在サービス時間中のコンテンツにどのようなものかを容易に知ることは困難であった。本発明では、サービス時間情報が付与されたコンテンツ情報について、容易にそのサービス時間を通知することを目的とする。
【課題を解決するための手段】
【０００５】
上記課題を解決するため、請求項１に記載の発明の車載器は、
路側無線装置を介してセンター装置と無線通信を行ってサービス提供元のサービス開始時間からサービス中断時間又は当該サービス開始時間からサービス終了時間までの時間を示すサービス時間期間を含むサービス時間情報を受信する通信部と、
現在時刻を計時する計時部と、
前記現在時刻、前記サービス開始時間及び予め定められた第１の規定時間を参照し、前記現在時刻から前記サービス開始時間までの時間が前記第１の規定時間内であるか否かを判別し、
前記現在時刻から前記サービス開始時間までの時間が前記第１の規定時間内でないと判別された場合に、前記現在時刻、前記サービス終了時間及び予め定められた第２の規定時間を参照し、前記現在時刻から前記サービス終了時間までの時間が前記第２の規定時間内であるか否かを判別し、前記第２の規定時間内であると判別された場合に、前記現在時刻、前記現在時刻以降のサービス開始時間及び予め定められた第３の規定時間を参照し、前記現在時刻から前記現在時刻以降のサービス開始時間までの時間が前記第３の規定時間内であるか否かを判別する判別部と、
前記判別部により前記現在時刻から前記サービス開始時間までの時間が前記第１の規定時間内であると判別された場合は、前記サービス開始時間を出力させ、前記判別部により前記現在時刻から前記現在時刻以降のサービス開始時間までの時間が前記第３の規定時間内であると判別された場合、前記サービス中断時間を出力させる制御部と、
を備える。
【０００６】
請求項２に記載の発明は、請求項１に記載の車載器において、
前記判別部は
前記現在時刻と前記サービス時間期間とを比較し、前記現在時刻が前記サービス時間期間中であるか否かを判別し、
前記制御部は、
前記判別部により前記現在時刻が前記サービス時間の期間中であると判別された場合は、前記サービス開始時間を出力させる。
【０００９】
請求項３に記載の発明は、請求項１又は２に記載の車載器において、
前記制御部は、
前記判別部により前記現在時刻から前記現在時刻以降のサービス開始時間までの時間が前記第３の規定時間以内でないと判別された場合、前記サービス終了時間を出力させる。
【００１０】
請求項４に記載の発明は、請求項１に記載の車載器において、
現在位置情報を取得する現在位置取得部を備え、
前記判別部は、
前記通信部を介して受信されたサービス提供元の位置情報と前記現在位置取得部により取得された現在位置情報とを比較し、前記位置情報が前記現在位置情報から規定範囲外であるか否かを判別し、
前記制御部は、
前記位置情報が前記現在位置から規定範囲外であると判別された場合に、前記サービス時間情報を出力させない。
【００１１】
請求項５に記載の発明は、請求項１に記載の車載器において、
情報を表示する表示部を備え、
前記判別部は、
前記現在時刻と前記サービス時間期間とを比較し、前記現在時刻が前記サービス時間期間中であるか否かを判別し、
前記制御部は、
前記判別部により前記現在時刻が前記サービス時間期間中であると判別された場合は、サービス中の提供元がリストされたサービス中リストにサービス中の提供元を追加して前記表示部に表示させる。
【発明の効果】
【００１２】
本発明によれば、サービス時間情報を知るための煩雑な操作の手間をなくすことができる。
【発明を実施するための最良の形態】
【００１３】
（第１の実施の形態）
以下、添付図面を参照して本発明に係る第１の実施の形態を詳細に説明する。ただし、発明の範囲は、図示例に限定されない。
【００１４】
以下、本発明の実施の形態を図面に基づいて説明する。
図１は、本実施形態に係る路車間通信システム１００のシステム構成を示す説明図である。
図１に示すように、路車間通信システム１００は、センター装置１、路側無線装置２、車両Ｃに搭載された車載器５を含んで構成される。なお、図１では、１台のセンター装置１のみ示しているが、センター装置１はコンテンツ情報を提供するサービス提供事業者毎に設けられる。
【００１５】
路側無線装置２は、路上や駐車場等に複数設置され、各路側無線装置２はネットワークＮを介してセンター装置１と接続されている。また、路側無線装置２は、車載器５と狭域通信（ＤＳＲＣ）により情報の送受信を行う。
すなわち、センター装置１は、路側無線装置２を介して車載器５にコンテンツ情報を提供可能となっている。そして、車載器５は、提供されたコンテンツ情報に再生処理を施し、このコンテンツ情報に基づく音声をスピーカから出力したり、映像をディスプレイに表示したりする。
【００１６】
図２は、センター装置１及び路側無線装置２の内部構成を示すブロック図である。すなわち、センター装置１及び路側無線装置２は、図２に示す機能ブロックからなる処理装置（例えば、コンピュータ端末）を備えている。
【００１７】
図２に示すように、センター装置１は、制御部１１、ネットワーク通信部１２、コンテンツ記憶部１３、を備えて構成される。
制御部１１は、ＣＰＵ（Central  Processing  Unit）１１１、ＲＯＭ（Read  Only  Memory）１１２、ＲＡＭ（Random  Access  Memory）１１３を備える。ＣＰＵ１１１は、ＲＡＭ１１３を作業領域として、ＲＯＭ１１２に記憶された制御プラグラムを実行することにより、各種演算を行うほか、ネットワーク通信部１２を制御する。
【００１８】
ネットワーク通信部１２は、ネットワークＮを介して路側無線装置２にコンテンツ情報を送信する。
コンテンツ記憶部１３は、例えば、ハードディスクで構成され、車載器５に提供するためのコンテンツ情報を記憶する。このコンテンツ情報は、ユーザに提供するテキスト情報、画像情報、音楽情報等を含んで構成され、その内容としては、例えば、店舗の広告や駐車場、医療施設の案内、クーポン等、様々なものが挙げられる。また、コンテンツ情報は、後述する所定のフォーマット（複合コンテンツフォーマット）に従って構成される。
【００１９】
路側無線装置２は、制御部２１、ＤＳＲＣ通信部２２、ネットワーク通信部２３、を備えて構成される。
制御部２１は、ＣＰＵ２１１、ＲＯＭ２１２、ＲＡＭ２１３を備える。ＣＰＵ２１１は、ＲＡＭ２１３を作業領域として、ＲＯＭ２１２に記憶された制御プラグラムを実行することにより、各種演算を行うほか、ＤＳＲＣ通信部２２、ネットワーク通信部２３を制御する。
【００２０】
ＤＳＲＣ通信部２２は、ＤＳＲＣにより車両Ｃに搭載されている車載器５にコンテンツ情報を送信する。
ネットワーク通信部２３は、ネットワークＮを介してセンター装置１からのコンテンツ情報等を受信する。
路側無線装置２において、センター装置１から送信されたコンテンツ情報を受信すると、ＤＳＲＣ通信部２２はコンテンツ情報を提供するためのＤＳＲＣ電波を常時発信する。路側無線装置２と通信可能な範囲（路側エリア）を車両が通過した際に、この車両Ｃに搭載された車載器５に対してコンテンツ情報が配信されることとなる。
【００２１】
図３は、路側無線装置２の通信可能範囲である路側エリアＺの説明図である。
図３に示すように、路側無線装置２は、道路脇や道路上方に設置されたアンテナ２ａから到達距離が限定されたＤＳＲＣの電波を放射し、路側無線装置近傍に路側エリアＺを形成する。ここで、ＤＳＲＣとは、５．８ＧＨｚ帯の電波を使った狭域通信方式であり、その通信範囲は、例えば、数メートルから数十メートルとされる。
【００２２】
路車間通信システム１００では、複数の路側無線装置２が設置されるが、路側無線装置２からのＤＳＲＣの電波の出力は何れも同じ程度に設定されるので、複数の路側無線装置２がそれぞれ形成する路側エリアは設定場所に関係なく、ほぼ一定である。そして、路側無線装置２は、それぞれの路側エリア内にある車両Ｃに搭載された車載器５とだけ、双方向無線通信（路車間通信）が可能となる。
【００２３】
図４は、車両Ｃに搭載される車載器５の一構成例を示すブロック図である。
車載器５は、ＩＴＳ（Intelligent Transport Systems：高度道路交通システム）に適
用可能なＩＴＳ車載器であり、路車間通信システム１００において、センター装置１から路側無線装置２を介して配信されたコンテンツ情報等を受信し、再生・出力するものである。
【００２４】
図４に示すように、車載器５は、判別部、制御部としての制御部５１、ＤＳＲＣ部５２、ＶＩＣＳ（登録商標）モジュール５３、カーナビ部５４、を備えて構成されている。
【００２５】
制御部５１は、ＣＰＵ５１１、ＲＯＭ５１２、ＲＡＭ５１３を備えて構成される。ＣＰＵ５１１は、ＲＡＭ５１３を作業領域として、ＲＯＭ５１２に記憶された制御プラグラムを実行することにより、各種演算を行うほか、各部の集中制御を行う。
【００２６】
具体的には、制御部５１は、ＤＳＲＣ通信部５２２を介して受信されたサービス提供元のサービス時間情報と計時部５４７により計時された現在時刻とを比較判別し、当該判別結果に基づいて、サービス時間情報を出力させる。サービス時間情報とは、後述するサービス提供時間リスト７１のサービス提供時間、営業時間のことをいう。サービス時間情報には、サービス時間期間、サービス提供開始時間、サービス提供中断時間、サービス提供終了時間、営業時間期間、営業開始時間、営業中断時間、営業終了時間等が含まれる。
例えば、制御部５１は、現在時刻とサービス時間情報に含まれるサービス時間期間（サービス開始時間からサービス中断時間までの時間又はサービス開始時間からサービス終了時間までの時間）とを比較判別し、現在時刻がサービス時間期間中である場合は、サービス時間情報に含まれるサービス開始時間（サービス提供開始時間、又は営業開始時間）を出力させる。
サービス時間情報に含まれる時間情報を出力させるとは、サービス時間情報に含まれる時間情報を表示部５４５に表示させること又はサービス時間情報を発話部５４６により発話させることをいう。  
【００２７】
ＤＳＲＣ部５２は、ＤＳＲＣ制御部５２１、通信部としてのＤＳＲＣ通信部５２２、記憶部５２３、ＥＴＣ（登録商標）処理部５２４、ＩＣカードインターフェース５２５、を備えて構成され、路側無線装置２やＥＴＣ基地局とＤＳＲＣにより通信するための処理を行う。
【００２８】
ＤＳＲＣ制御部５２１は、ＣＰＵ、ＲＯＭ、ＲＡＭ（何れも図示略）を備えて構成され、ＲＯＭに記憶されている制御プログラムとの協働によりＤＳＲＣ部５２の各部の動作を制御する。
例えば、ＥＴＣによる決済を行う際には、ＤＳＲＣ通信部５２２の通信動作を制御してＥＴＣ基地局から決済情報を受信させる。また、ＥＴＣ処理部５２４により決済情報をクレジットカード等のＩＣに書き込む処理を行わせる。
また例えば、ＤＳＲＣ通信部５２２により、センター装置１から路側無線装置２を介して配信されたコンテンツ情報を受信した場合には、これを制御部５１に転送する。
【００２９】
ＤＳＲＣ通信部５２２は、車両Ｃのダッシュボード上でフロントガラス近傍に設置されたアンテナを備え、このアンテナを介して路側無線装置２やＥＴＣ基地局と、ＤＳＲＣによる通信を行う。
記憶部５２３は、例えば、不揮発メモリで構成され、車載器５に付番される車載器ＩＤや、車載器５を搭載する車両Ｃの車両情報等を記憶する。
車載器ＩＤは、製造時に個々の車載器に付番される車載器情報である。車両情報は、車載器５を搭載する車両Ｃのナンバープレート情報や、車種情報（大型車両、中型車両、小型車両、身障者運転者両など）を含み、車両Ｃに車載器５を搭載する際に登録される（セットアップ）。
【００３０】
ＥＴＣ処理部５２４は、ＩＣカードインターフェース５２５に挿抜されるＩＣ付きクレジットカード又はデビットカード等に対して、決済情報等の読み書きを行う。
ＩＣカードインターフェース５２５は、クレジットカード等のスロットを備え、このスロットに挿入されたクレジットカード等のＩＣとＥＴＣ処理部５２４の間で情報のやりとりを仲介する。
【００３１】
ＶＩＣＳモジュール５３は、光通信用、ＦＭ通信用、２．４ＧＨｚ電波通信用のアンテナをそれぞれ備え、ＶＩＣＳ（Vehicle Information and Communication System：道路交通情報通信システム）センターと光通信、ＦＭ通信、電波通信を行う。ＶＩＣＳモジュール５３は、ＶＩＣＳセンターから渋滞情報や道路交通情報等を受信し、制御部５１に転送する。
【００３２】
カーナビ部５４は、カーナビ制御部５４１、現在地検出部５４２、地図記憶部５４３、操作部５４４、第１の表示部、第２の表示部、第３の表示部としての表示部５４５、発話部５４６、計時部５４７、記憶部５４８、ネットワーク通信部５４９、を備えて構成され、例えば、車両Ｃを案内経路へ誘導するための処理を行う。
【００３３】
カーナビ制御部５４１は、現在地検出部５４２から取得した現在地の情報及び地図記憶部５４３に記憶された地図情報等に基づいて、車両Ｃの現在地から操作部５４４を介して設定された目的地までの案内経路を算出する。そして、地図記憶部５４３に記憶されている地図情報を用いて、算出した案内経路へ誘導するための地図画面を作成し、表示部５４５のディスプレイに表示させる。また、カーナビ制御部５４１は、センター装置１から配信されたコンテンツ情報を再生する再生部として機能する。
【００３４】
現在地検出部５４２は、ＧＰＳ（Global Positioning System：全地球測位システム）
、ジャイロセンサ等を備える。
ＧＰＳは、ＧＰＳ衛星から送信されるＧＰＳ信号を受信し、これに基づいて自車位置（緯度、経度）を算出する。
ジャイロセンサは、移動方向の変化量を示す車の加速度（単位時間当たりの水平方向への回転速度）を検出する（角速度センサ）とともに、地磁気の検出を行い（方位センサ）、自車の絶対方位を検出する。
現在地検出部５４２は、ＧＰＳとジャイロセンサから取得した情報に基づいて車両の現在地を示す現在地情報（緯度、経度等の情報）や走行速度の情報を作成する。
【００３５】
地図記憶部５４３は、ハードディスクやＤＶＤ等の記憶媒体で構成され、案内表示に必要な地図情報を記憶する。
【００３６】
操作部５４４は、車載器本体に設けられるハードキー、表示部５４５のディスプレイに一体的に設けられたタッチパネル（ソフトキー）、又はリモコンで構成される。操作部５４４は、ユーザによってキー操作がなされたときに、この操作に対応する操作信号を作成し、制御部３１に出力する。
【００３７】
表示部５４５は、ディスプレイにより構成される。例えば、センター装置１から提供されたコンテンツ情報が再生されると、表示部５４５に当該コンテンツ情報に基づく表示案内が表示される。また、表示部５４５は、タッチパネル機能を有し、画面上に配置されたボタンが操作されると、ボタンに対応する制御が行われることとなる。
【００３８】
発話部５４６は、スピーカにより構成される。例えば、センター装置１から提供されたコンテンツ情報が再生されると、発話部５４６により当該コンテンツ情報に基づく音声案内が出力される。
【００３９】
計時部５４７は、図示しない発振回路部から入力される信号を計数して、現在時刻を計時する。そして当該現在時刻をＣＰＵ５１１に出力する。
【００４０】
記憶部５４８は、例えば、読み書き可能な半導体メモリで構成される。記憶部５４８は、例えば、ＶＩＣＳモジュール５３を介して受信されるガイド情報（道路情報、渋滞情報等）や車両の走行履歴等を記憶する。
また、センター装置１から配信されたコンテンツ情報を記憶したり、このコンテンツ情報をユーザに提示するために編成されたリストを記憶したりする。
【００４１】
ネットワーク通信部５４９は、例えば、ＩＰ接続可能な路側無線装置２又はＩＰ接続可能な携帯電話等を介してインターネットに接続する。例えば、コンテンツ情報に含まれるＵＲＬ情報で指定されるサイトに接続する。接続されたサイトは、ウェブブラウザ等の所定のアプリケーションソフトによって表示部５４５のディスプレイに表示されることとなる。
【００４２】
図５は、センター装置１から配信されるコンテンツ情報のデータ構造の一例について示す説明図である。図５に示すように、センター装置１からは一時に複数の情報グループが配信され、車載器５では複数の情報グループを受信して、再生又は記憶部５４８に蓄積することとなる。
ここで、図５における情報グループ１、２、・・ｎのそれぞれが１つのコンテンツ情報であり、車載器５においては情報グループを単位として再生処理が行われる。なお、本明細書では、情報グループとコンテンツ情報を同義として扱うものとする。
【００４３】
図５に示すように、１つの情報グループは、内容により分類された複数の要素で構成される。各構成要素はＩＤ番号（００、０１、・・等）と当該ＩＤ番号に対応して格納される実データからなる。図５において、情報グループ１には、ＩＤ＝００（ＩＤ番号が“００”であることを示す、以下同じ）、ＩＤ＝０１、ＩＤ＝０２、ＩＤ＝０３、ＩＤ＝０４、ＩＤ＝０５、ＩＤ＝１０、ＩＤ＝３０で規定される情報が含まれていることを示している。
【００４４】
図６は、情報グループを構成する各要素（ＩＤ番号及びこれに対応して格納されている実データ）の詳細内容の一例を示す説明図である。
ＩＤ＝００には、情報グループを構成している複数の要素のＩＤ番号が記述される。例えば、図５に示す情報グループ１の場合、ＩＤ＝００には、“００、０１、０２、０３、０４、０５、１０、３０、・・”が記述される。車載器５は、情報グループのＩＤ＝００に記述されている情報を参照することで、当該情報グループに含まれる情報の内容を確認できる。
【００４５】
ＩＤ＝０１には、当該情報グループを含む複数の情報グループを配信するサービス事業者（センター装置１）に関する情報が記述される。具体的には、ＤＳＲＣの運用を管理する機関で規定され、サービス事業者毎にユニークに割り付けられるサービス事業者コード、サービス事業者をユーザに視覚的に通知するためのサービス事業者表示テキスト、サービス事業者をユーザに音声で通知するためのサービス事業者表音文字列等が記述される。
【００４６】
ＩＤ＝０２には、当該情報グループ（コンテンツ情報）に関する情報が記述される。具体的には、サービス事業者が配信する情報グループの提供元を示す情報提供企業コード、情報提供企業をユーザに視覚的に通知するための情報提供企業表示テキスト、情報提供企業をユーザに音声で通知するための情報提供企業表音文字列、サービス事業者が情報グループ毎にユニークに割り付ける情報コード、情報グループの名称をユーザに視覚的に通知するための情報表示テキスト、情報グループをユーザに音声で通知するための情報表音文字列、当該情報グループをカテゴリー分けするために用いる嗜好データカテゴリ等が記述される。
【００４７】
ＩＤ＝０３には、当該情報グループ（コンテンツ情報）に関する情報が記述される。具体的には、受信した情報グループを受信完了後すぐに再生するか、通信エリア外でも利用可能に蓄積するかを表す即時再生／蓄積コード、情報グループを再生すべきエリア（情報提供地点）において当該情報グループを再生できない場合の挙動を規定する再生条件コードが記述される。
【００４８】
ＩＤ＝０４には、当該情報グループの有効期限に関する情報（有効期限情報）が記述される。具体的には、有効期限開始日時（開始年月日時分秒）、有効期限終了日時（終了年月日時分秒）が記述される。有効期限開始日時が経過後に当該情報グループの再生が可能となる。また、有効期限終了日を経過すると当該情報グループの再生は不可能としてもよい。つまり、有効期限情報は、車載器５において当該情報グループを再生可能な期間を示す。
【００４９】
ＩＤ＝０５には、当該情報グループの提供時間に関する情報が記述される。具体的には、後述するＩＤ＝１０で規定される対象地点（店舗等）の曜日毎の営業時間、当該情報グループを再生可能とする曜日毎の情報提供時間が記述される。
【００５０】
ＩＤ＝１０には、当該情報グループによるサービス対象となる対象地点に関する情報が記述される。具体的には、サービス対象地点の緯度経度を表す対象地点座標、対象地点名称をユーザに視覚的に通知するための対象地点表示用テキスト等が記述される。
【００５１】
ＩＤ＝３０には、当該情報グループの再生画面からの遷移先に関する情報（遷移情報）が記述される。具体的には、遷移先の情報グループの情報コード（ＩＤ＝０２に記述されている）からなる次再生情報コード１〜８が記述される。例えば、ＩＤ＝３０に次再生情報コード１〜８が記述されている場合、車載器５は、当該情報グループの再生画面上に、画面遷移用の１〜８の番号の付いたボタン（ソフトキー）を配置する。そして、ユーザによりボタンが操作されると、操作されたボタン番号に対応する次再生情報コード（遷移先の情報コード）で指定される情報グループに遷移し、この情報グループに基づく再生画面を表示する。
【００５２】
ＩＤ＝４０には、複数の情報グループの中から所望の情報グループを検索するための詳細情報が記述される。具体的には、当該情報グループが提供するサービス内容をユーザが理解するためのキーワード等の詳細情報表示テキストが記述される。例えば、当該情報グループが、ユーザにとって有用なサービスを提供するためのサービス情報（例えば、クーポン情報、バーゲン情報）である場合には、このＩＤ＝４０にクーポン情報やバーゲン情報である旨が記述される。
【００５３】
本実施形態に係る車載器５において、センター装置１から配信された複数の情報グループを受信すると、カーナビ部５４の記憶部５４８には、情報グループ毎にそれぞれ図６に示す構成で情報が記憶され、蓄積されることとなる。なお、記憶部５４８に記憶される情報グループは、ＩＤ＝０３で蓄積コードが設定されている情報グループである。
【００５４】
次に、図７を参照して、サービス提供時間通知リスト７１について説明する。サービス提供時間通知リスト７１は、記憶部５４８に記憶されている情報グループを適宜編成して作成される。サービス提供時間通知リスト７１は、記憶部５４８に記憶される。
【００５５】
具体的には、図７に示すサービス提供時間通知リスト７１は、情報番号と、サービス事業者コードと、情報提供企業コードと、情報コードと、情報提供企業表示用テキストと、情報提供企業発話用表音文字列と、有効期限開始日と、有効期限終了日と、営業時間日曜日〜営業時間土曜日と、サービス提供時間日曜日〜サービス提供時間土曜日と、を含む。例えば、情報番号１においては、サービス事業者コードが“０００００１”、情報提供企業コードが“０００００１”、情報コードが“０００００１”、情報提供企業用表示用テキストが“○□△”、情報提供発話用表音文字列が“○□△”、有効期限開始日が“２０００８／１／１  ９：００：００”、有効期限終了日が“２００８／１／９  １５：００：００”、営業時間日曜日が“１０：００−２０：００”、営業時間土曜日が“１０：００−２０：００”、サービス提供時間日曜日が“１０：００−２０：００”、サービス提供時間土曜日が“１０：００−２０：００”であることが登録されている。
【００５６】
次に車載器５の動作を説明する。先ず、図８及び図９を参照して、第１のサービス提供時間通知リスト編成処理を説明する。第１のサービス提供時間通知リスト編成処理は、ユーザの操作に基づいて、サービス提供時間通知リスト７１を編成する処理である。サービス提供時間通知リスト編成処理は、後述する第１の車載器処理と同時並行で実行される。
【００５７】
例えば、ユーザにより操作部５４４を介して第１のサービス提供時間通知リスト編成処理の実行指示が入力がされたこと等をトリガとして、ＲＯＭ５１２から読み出されて適宜ＲＡＭ５１３に展開された第１のサービス提供時間通知リスト編成プログラムと、ＣＰＵ５１１との協働により第１のサービス提供時間通知リスト編成処理が実行される。
予め、センター装置１から配信された情報グループに基づいて、サービス提供時間通知リスト７１が作成され、記憶部５４８に記憶されているものとする。
【００５８】
先ず、コンテンツ情報が表示部５４５に描画される（ステップＳ１１）。例えば、図１０に示すように、コンテンツ情報表示画面９１において、コンテンツ情報表示部９１Ａが表示部５４５に描画される。そして、戻るボタンが描画される（ステップＳ１２）。例えば、図１０に示すように、戻るボタン９１Ｂが表示部５４５に描画される。そして、サービス提供時間通知リスト７１内から、現在表示中のコンテンツ情報のサービス事業者コード、情報提供企業コード、情報コードと一致する情報が検索される（ステップＳ１３）。
【００５９】
ステップＳ１３の実行後、一致する情報があるか否かが判別される（ステップＳ１４）。すなわち、サービス提供時間通知リスト７１内に、現在表示中のコンテンツ情報のサービス事業者コード、情報提供企業コード、情報コードと一致する情報があるか否かが判別される。一致する情報がないと判別された場合（ステップＳ１４；ＮＯ）、記憶部５４８が参照され、表示中のコンテンツ情報にＩＤ＝０１、０２、０４、０５のデータがあるか否かが判別される（ステップＳ１５）。例えば、図１０に示すように、表示部５４５に○□△ＳＣからのお得なサービス情報（○□△ＳＣのコンテンツ情報）が表示されていた場合、○□△ＳＣのコンテンツ情報にＩＤ＝０１、０２、０４、０５のデータがあるか否かが判別される。
【００６０】
ステップＳ１５において、表示中のコンテンツ情報にＩＤ＝０１、０２、０４、０５のデータ（具体的には、サービス事業者コード、情報提供企業コード、情報コード、情報提供企業表示用テキスト、情報提供企業発話用表音文字列、有効期限開始日、有効期限終了日、営業時間、情報提供時間）がないと判別された場合（ステップＳ１５；ＮＯ）、後述するステップＳ１９に移行される。表示中のコンテンツ情報にＩＤ＝０１、０２、０４、０５のデータがあると判別された場合（ステップＳ１５；ＹＥＳ）、サービス提供時間通知ボタンが描画される（ステップＳ１６）。例えば、図１１に示すように、サービス提供時間通知ボタン９１Ｃが表示部５４５に描画される。
【００６１】
ステップＳ１４において、一致する情報があると判別された場合（ステップＳ１４；ＹＳＥ）、サービス提供時間通知リスト７１から一致する情報の情報番号が取得される（ステップＳ１７）。そして、通知キャンセルボタンが描画される（ステップＳ１８）。例えば、図１１に示すように、コンテンツ情報表示画面１０１において、通知キャンセルボタン１０１Ａが表示部５４５に描画される。
【００６２】
そして、ボタンが押下されたか否かが判別される（ステップＳ１９）。ボタンとは、サービス提供時間通知ボタン９１Ｃ、通知キャンセルボタン１０１Ａ、又は戻るボタン９１Ｂのことをいう。ボタンが押下されていないと判別された場合（ステップＳ１９；ＮＯ）、ステップＳ１９に移行される。ボタンが押下されたと判別された場合（ステップＳ１９；ＹＥＳ）、押下されたボタンはサービス提供時間通知ボタン９１Ｃであるか否かが判別される（ステップＳ２０）。サービス提供時間通知ボタン９１Ｃであると判別された場合（ステップＳ２０；ＹＥＳ）、現在表示中のコンテンツ情報がサービス提供時間通知リスト７１に追加される（ステップＳ２１）。そして、現在表示中のコンテンツ情報のサービス提供時間通知リスト７１での情報番号が取得される（ステップＳ２２）。そして、サービス提供時間通知ボタン９１Ｃが表示部５４５から削除される（ステップＳ２３）。そして、通知キャンセルボタン１０１Ａが描画される（ステップＳ２４）。ステップＳ２４の実行後、ステップＳ１９に移行される。
【００６３】
ステップＳ２０において、サービス提供時間通知ボタン９１Ｃでないと判別された場合（ステップＳ２０；ＮＯ）、押下されたボタンは、通知キャンセルボタン１０１Ａであるか否かが判別される（ステップＳ２５）。通知キャンセルボタン１０１Ａであると判別された場合（ステップＳ２５；ＹＥＳ）、取得した情報番号の情報がサービス提供時間通知リスト７１から削除される（ステップＳ２６）。そして、通知キャンセルボタン１０１Ａが表示部５４５から削除される（ステップＳ２７）。そして、サービス提供時間通知ボタン９１Ａが表示部５４５に描画される（ステップＳ２８）。ステップＳ２８の実行後、ステップＳ１９に移行される。
【００６４】
ステップＳ２５において、通知キャンセルボタン１０１Ａでないと判別された場合（ステップＳ２５；ＮＯ）、押下されたボタンは、戻るボタン９１Ｂであるか否かが判別される（ステップＳ２９）。戻るボタン９１Ｂでないと判別された場合（ステップＳ２９；ＮＯ）、ステップＳ１９に移行される。戻るボタン９１Ｂであると判別された場合（ステップＳ２９；ＹＥＳ）、直前に表示していた画面が表示部５４５に表示される（ステップＳ３０）。ステップＳ３０の実行後、第１のサービス提供時間通知リスト編成処理は終了される。
【００６５】
次に、図１２を参照して、第１の車載器処理を説明する。第１の車載器処理は、サービス時間情報をユーザに知らせるための処理である。
【００６６】
例えば、ユーザにより操作部５４４を介して車載器５の電源入力がされたこと等をトリガとして、ＲＯＭ５１２から読み出されて適宜ＲＡＭ５１３に展開された第１の車載器プログラムと、ＣＰＵ５１１との協働により第１の車載器処理が実行される。予め、サービス提供時間通知リスト７１が第１のサービス提供時間編成通知リスト編成処理により作成され、記憶部５４８に記憶されているものとする。
【００６７】
先ず、車載器５の電源がオンされる（ステップＳ３１）。具体的には、車載器５のエンジンを起動する電源制御が行われる。そして、車載器５のエンジン起動後、電源がオンされているか否かが判別される（ステップＳ３２）。すなわち、車載器５のエンジン起動後、車載器５の電源が投入されているか否かが判別される。電源がオンされていない場合（ステップＳ３２；ＮＯ）、第１の車載器処理は終了される。電源がオンされている場合（ステップＳ３２；ＹＥＳ）、現在曜日が取得される（ステップＳ３３）。具体的には、計時部５４７から現在の曜日が取得される。
【００６８】
そして、第１の起動時サービス提供時間確認処理が実行される（ステップＳ３４）。第１の起動時サービス提供時間確認処理については、後述する。そして、電源オンしているか否かが判別される（ステップＳ３５）。すなわち、車載器５の電源が投入されているか否かが判別される。電源オンされていないと判別された場合（ステップＳ３５；ＮＯ）、第１の車載器処理は終了される。電源オンしていると判別された場合（ステップＳ３５；ＹＥＳ）、規定時間が経過しているか否かが判別される（ステップＳ３６）。規定時間とは、ユーザにより予め設定された時間、又は車載器５に予め設定されている任意の時間のことをいう。以下に規定時間を例示して（例えば、規定時間を１時間として）説明するが、本実施例における規定時間は、これに限定されるものではなく、それぞれの規定時間において、異なる時間としてもよい。
【００６９】
ステップＳ３６において、規定時間が経過していないと判別された場合（ステップＳ３６；ＮＯ）、ステップＳ３５に移行される。ステップＳ３６において、規定時間が経過していると判別された場合（ステップＳ３６；ＹＥＳ）、通常サービス提供時間確認処理が実行される（ステップＳ３７）。通常サービス提供時間確認処理については、後述する。通常サービス提供時間確認処理の実行後、ステップＳ３５に移行される。
【００７０】
次に、図１３を参照して、第１の車載器処理のステップＳ３４において実行される第１の起動時サービス提供時間確認処理について説明する。
【００７１】
先ず、ステップＳ３３の実行後、サービス提供時間通知リスト７１が参照され、サービス提供時間通知リスト７１にデータがあるか否かが判別される（ステップＳ４１）。サービス提供時間通知リスト７１にデータがないと判別された場合（ステップＳ４１；ＮＯ）、第１の車載器処理のステップＳ３５に移行される。サービス提供時間通知リスト７１にデータがあると判別された場合（ステップＳ４１；ＹＥＳ）、計時部５４７から現在日時が取得される（ステップＳ４２）。そして、サービス提供時間通知リスト７１の先頭データが参照される（ステップＳ４３）。すなわち、サービス提供時間通知リスト７１の情報番号１に関連付けられたデータが参照される。
【００７２】
ステップＳ４３の実行後、サービス提供時間通知リスト７１の有効期限終了日が参照され、有効期限終了日を過ぎていないか否かが判別される（ステップＳ４４）。有効期限終了日を過ぎていると判別された場合（ステップＳ４４；ＮＯ）、サービス提供時間通知リスト７１の情報提供企業表示用テキストを使用して、有効期限が切れたことが表示部５４５に表示される（ステップＳ４５）。そして、サービス提供時間通知リスト７１の情報提供企業発話用表音文字列を使用して、有効期限が切れたことが発話部５４６により発話される（ステップＳ４６）。そして、参照中のデータがサービス提供時間通知リスト７１から削除される（ステップＳ４７）。例えば、サービス提供時間通知リスト７１の情報番号１に関連付けられたデータがサービス提供時間通知リスト７１から削除される。ステップＳ４７の実行後、後述するステップＳ５３に移行される。
【００７３】
ステップＳ４４において、有効期限終了日を過ぎていないと判別された場合（ステップＳ４４；ＹＥＳ）、サービス提供時間通知リスト７１の有効期限開始日が参照され、有効期限開始日を過ぎているか否かが判別される（ステップＳ４８）。有効期限開始日を過ぎていないと判別された場合（ステップＳ４８；ＮＯ）、後述するステップＳ５３に移行される。有効期限開始日を過ぎていると判別された場合（ステップＳ４８；ＹＥＳ）、現在時刻はサービス提供時間期間中（サービス提供時間中）であるか否かが判別される（ステップＳ４９）。具体的には、計時部５４７から取得された現在時刻とサービス提供時間通知リスト７１のサービス提供時間とが比較され、本ステップの判別が行われる。
【００７４】
ステップＳ４９において、現在時刻はサービス提供時間中でないと判別された場合（ステップＳ４９；ＮＯ）、現在時刻はサービス提供開始時間の規定時間前であるか否かが判別される（ステップＳ５０）。本ステップの規定時間は、第１の規定時間に該当する。具体的には、計時部５４７から取得された現在時刻、サービス提供時間通知リスト７１のサービス提供時間及び規定時間が参照され、本ステップの判別が行われる。例えば、サービス提供開始時間が１０：００、規定時間が１時間である場合、現在時刻からサービス提供開始時間（１０：００）までの時間は規定時間（１時間）内であるか否かが判別される。現在時刻はサービス提供開始時間の規定時間前でないと判別された場合（ステップＳ５０；ＮＯ）、後述するステップＳ５３に移行される。現在時刻はサービス提供開始時間の規定時間前であると判別された場合（ステップＳ５０；ＹＥＳ）、後述するステップＳ５１に移行される。
【００７５】
ステップＳ４９において、現在時刻はサービス提供時間中であると判別された場合（ステップＳ４９；ＹＥＳ）、サービス提供時間通知リスト７１の情報提供企業表示用テキストを使用して、サービス提供が開始されている事が表示部５４５に表示される（ステップＳ５１）。具体的には、サービス提供開始時間が１０：００の場合、サービス提供開始時間が１０：００であること（サービス提供が１０：００に開始されていること）が表示部５４５に表示される。そして、情報提供企業発話用表音文字列を使用して、サービス提供が開始されていることが発話部５４６を介して発話される（ステップＳ５２）。具体的には、サービス提供開始時間が１０：００の場合、サービス提供開始時間が１０：００であること（サービス提供が１０：００に開始されていること）が発話部５４６により発話される。
【００７６】
ステップＳ５２の実行後、サービス提供時間通知リスト７１にまだデータがあるか否かが判別される（ステップＳ５３）。サービス提供時間通知リスト７１にまだデータがあると判別された場合（ステップＳ５３；ＹＥＳ）、次のサービス提供時間通知リスト７１のデータが参照される（ステップＳ５４）。ステップＳ５４の実行後、ステップＳ４４に移行される。
【００７７】
ステップＳ５３において、サービス提供時間通知リスト７１にデータがないと判別された場合（ステップＳ５３；ＮＯ）、第１の車載器処理のステップＳ３５に移行される。
【００７８】
次に、図１４及び図１５を参照して、第１の車載器処理のステップＳ３７で実行される通常サービス提供時間確認処理について説明する。
【００７９】
先ず、第１の車載器処理のステップＳ３６；ＹＥＳの実行後、サービス提供時間通知リスト７１にデータがあるか否かが判別される（ステップＳ６１）。サービス提供時間通知リスト７１にデータがないと判別された場合（ステップＳ６１；ＮＯ）、第１の車載器処理のステップＳ３５に移行される。サービス提供時間通知リスト７１にデータがあると判別された場合（ステップＳ６１；ＹＥＳ）、計時部５４７から現在日時が取得される（ステップＳ６２）。
【００８０】
ステップＳ６２の実行後、サービス提供時間通知リスト７１の先頭データが参照される（ステップＳ６３）。そして、サービス提供時間通知リスト７１の有効期限開始日が参照され、有効期限開始日を過ぎているか否かが判別される（ステップＳ６４）。有効期限開始日を過ぎていないと判別された場合（ステップＳ６４；ＮＯ）、後述するステップＳ７５に移行される。有効期限開始日を過ぎていると判別された場合（ステップＳ６４；ＹＥＳ）、現在時刻が本日の曜日のサービス提供開始時間の規定時間前であるか否かが判別される（ステップＳ６５）。本ステップの規定時間は、第１の規定時間に該当する。具体的には、計時部５４７から取得された現在時刻、サービス提供時間通知リスト７１のサービス提供時間及び規定時間が参照され、本ステップの判別が行われる。例えば、本日の曜日が日曜日、サービス提供開始時間が１０：００、規定時間が１時間である場合、現在時刻から日曜日のサービス提供開始時間（１０：００）までの時間が規定時間（１時間）内であるか否かが判別される。
【００８１】
ステップＳ６５において、現在時刻が本日の曜日のサービス提供開始時間の規定時間前でないと判別された場合（ステップＳ６５；ＮＯ）、現在時刻が本日の曜日のサービス提供終了時間の規定時間前であるか否かが判別される（ステップＳ６６）。本ステップの規定時間は、第２の規定時間に該当する。具体的には、計時部５４７から取得された現在時刻、サービス提供時間通知リスト７１のサービス提供時間及び規定時間が参照され、本ステップの判別が行われる。例えば、本日の曜日が日曜日、サービス提供終了時間が２０：００、規定時間が１時間である場合、現在時刻から日曜日のサービス提供終了時間（２０：００）までの時間が規定時間（１時間）内であるか否かが判別される。現在時刻が本日の曜日のサービス提供終了時間の規定時間前でないと判別された場合（ステップＳ６６；ＮＯ）、後述するステップＳ７５に移行される。
【００８２】
ステップＳ６６において、現在時刻が本日の曜日のサービス提供終了時間の規定時間前であると判別された場合（ステップＳ６６；ＹＥＳ）、現在時刻以降に本日の曜日のサービス提供開始時間があるか否かが判別される（ステップＳ６７）。現在時刻以降に本日の曜日のサービス提供開始時間がないと判別された場合（ステップＳ６７；ＮＯ）、情報提供企業表示用テキストを使用して、サービス提供が終了したことが表示部５４５に表示される（ステップＳ６８）。具体的には、サービス提供終了時間が２０：００の場合、サービスサービス提供終了時間が２０：００であること（サービス提供が２０：００に終了したこと）が表示部５４５に表示される。そして、情報提供企業発話用表音文字列を使用して、サービス提供が終了したことが発話部５４６を介して発話される（ステップＳ６９）。具体的には、サービス提供終了時間が２０：００の場合、サービス提供終了時間が２０：００であること（サービス提供が２０：００に終了したこと）が発話部５４６により発話される。ステップＳ６９の実行後、後述するステップＳ７５に移行される。
【００８３】
ステップＳ６７において、現在時刻以降に本日の曜日のサービス提供開始時間があると判別された場合（ステップＳ６７；ＹＥＳ）、現在時刻から本日の曜日のサービス提供開始時間まで規定時間内であるか否かが判別される（ステップＳ７０）。本ステップの規定時間は第３の規定時間に該当する。具体的には、計時部５４７で取得された現在時刻、サービス提供時間通知リスト７１のサービス提供時間及び規定時間が参照され、本ステップの判別が行われる。例えば、本日の曜日が日曜日、サービス提供開始時間が１０：００、規定時間が１時間である場合、現在時刻から本日の曜日のサービス提供開始時間（１０：００）までの時間が規定時間（１時間）内であるか否かが判別される。現在時刻から本日の曜日のサービス提供開始時間まで規定時間内でないと判別された場合（ステップＳ７０；ＮＯ）、ステップＳ６８に移行される。現在時刻から本日の曜日のサービス提供開始時間まで規定時間内であると判別された場合（ステップＳ７０；ＹＥＳ）、情報提供企業表示用テキストを使用して、サービス提供中断中であることが表示部５４５に表示される（ステップＳ７１）。具体的には、サービス提供中断時間が１２：００−１３：００の場合、サービス提供中断時間が１２：００−１３：００であること（サービス提供が１２：００−１３：００の間は中断中であること）が表示部５４５に表示される。そして、情報提供企業発話用表音文字列を使用して、サービス提供中断中であることが発話部５４６を介して発話される（ステップＳ７２）。具体的には、サービス提供中断時間が１２：００−１３：００の場合、サービス提供中断時間が１２：００−１３：００であること（サービス提供が１２：００−１３：００の間は中断中であること）が発話部５４６により発話される。ステップＳ７２の実行後、後述するステップＳ７５に移行される。
【００８４】
ステップＳ６５において、現在時刻が本日の曜日のサービス提供開始時間の規定時間前であると判別された場合（ステップＳ６５；ＹＥＳ）、現在時刻がサービス開始時間になると、情報提供企業表示用テキストを使用して、サービス提供が開始されたことが表示部５４５に表示される（ステップＳ７３）。具体的には、サービス提供開始時間が１０：００の場合、サービス提供開始時間が１０：００であること（サービス提供が１０：００に開始されたこと）が表示部５４５に表示される。そして、情報提供企業発話用表音文字列を使用して、サービス提供が開始されたことが発話部５４６を介して発話される（ステップＳ７４）。具体的には、サービス提供開始時間が１０：００の場合、サービス提供開始時間が１０：００であること（サービス提供が１０：００に開始されたこと）が発話部５４６により発話される。
【００８５】
ステップＳ７４の実行後、サービス提供時間通知リスト７１にまだデータがあるか否かが判別される（ステップＳ７５）。サービス提供時間通知リスト７１にまだデータがあると判別された場合（ステップＳ７５；ＹＥＳ）、次のサービス提供時間通知リスト７１のデータが参照される（ステップＳ７６）。ステップＳ７６の実行後、ステップＳ６４に移行される。
【００８６】
ステップＳ７５において、サービス提供時間通知リスト７１にデータがないと判別された場合（ステップＳ７５；ＮＯ）、第１の車載器処理のステップＳ３５に移行される。
【００８７】
次に、図１６を参照して、サービス提供中リスト表示処理を説明する。サービス提供中リスト表示処理は、サービス中リストとしてのサービス提供中リスト１６１を表示部５４５に表示し、サービスを提供している店名等の情報をユーザに知らせる処理である。サービス提供中リスト表示処理は、第１の車載器処理と同時並行して実行される。
【００８８】
例えば、ユーザにより操作部５４４を介してサービス提供中リスト表示処理の実行指示が入力がされたこと等をトリガとして、ＲＯＭ５１２から読み出されて適宜ＲＡＭ５１３に展開されたサービス提供中リスト表示プログラムと、ＣＰＵ５１１との協働によりサービス提供中リスト表示処理が実行される。
【００８９】
先ず、情報グループがあるか否かが判別される（ステップ９１）。具体的には、センター装置１から配信された情報グループが記憶部５４８に記憶されているか否かが判別される。情報グループがないと判別された場合（ステップＳ９１；ＮＯ）、受信データがないことが通知される（ステップＳ９２）。具体的には、受信データがないことが表示部５４５に表示され、又は受信データがないことが発話部５４６を介して発話される。ステップＳ９２の実行後、サービス提供中リスト表示処理は終了される。
【００９０】
ステップＳ９１において、情報グループがあると判別された場合（ステップＳ９１；ＹＥＳ）、現在日時が取得される（ステップＳ９３）。そして、受信データの情報グループ１が参照される（ステップＳ９４）。そして、情報グループ１に含まれる有効期限終了日に基づいて、有効期限終了日を過ぎていないか否かが判別される（ステップＳ９５）。有効期限終了日を過ぎていると判別された場合（ステップＳ９５；ＮＯ）、後述するステップＳ１００に移行される。有効期限終了日を過ぎていないと判別された場合（ステップＳ９５；ＹＥＳ）、情報グループ１に含まれる有効期限開始日に基づいて、有効期限開始日を過ぎているか否かが判別される（ステップＳ９６）。有効期限開始日を過ぎていないと判別された場合（ステップＳ９６；ＮＯ）、後述するステップＳ１００に移行される。
【００９１】
ステップＳ９６において、有効期限開始日を過ぎていると判別された場合（ステップＳ９６；ＹＥＳ）、現在時刻はサービス提供時間中であるか否かが判別される（ステップＳ９７）。具体的には、現在時刻及び情報グループ１に含まれるサービス提供時間が参照され、本ステップの判別が行われる。現在時刻はサービス提供時間中でないと判別された場合（ステップＳ９７；ＮＯ）、現在時刻はサービス提供開始時間の規定時間前であるか否かが判別される（ステップＳ９８）。本ステップの規定時間は、具体的には、現在時刻、情報グループ１に含まれるサービス提供開始時間及び規定時間が参照され、本ステップの判別が行われる。例えば、サービス提供開始時間が１０：００、規定時間が１時間である場合、現在時刻からサービス提供開始時間（１０：００）までの時間が規定時間（１時間）内であるか否かが判別される。
【００９２】
ステップＳ９８において、現在時刻はサービス提供開始時間の規定時間前でないと判別された場合（ステップＳ９８；ＮＯ）、後述するステップＳ１００に移行される。現在時刻はサービス提供開始時間の規定時間前であると判別された場合、後述するステップＳ９９に移行される。
【００９３】
ステップＳ９７において、現在時刻はサービス提供時間中であると判別された場合（ステップＳ９７；ＹＥＳ）、サービス提供時間リスト１５１に現在参照中の情報グループが追加される（ステップＳ９９）。ここで、サービス提供時間リスト１５１とは、図１７に示すリストのことをいう。
【００９４】
具体的には、サービス提供時間リスト１５１は、情報番号と、サービス事業者コードと、情報提供コードと、情報コードと、情報表示用テキストと、本日のサービス提供時間と、を含む。例えば、情報番号１には、サービス事業者コードが“０００００１”、情報提供コードが“０００００１”、情報コードが“０００００１”、情報表示用テキストが“○□△ＳＣ○○店”、本日のサービス提供時間が“１０：００−２０：００”であることが登録されている。
【００９５】
ステップＳ９９の実行後、他にも情報グループがあるか否かが判別される（ステップＳ１００）。具体的には、センター装置１から配信された他の情報グループが記憶部５４８に記憶されているか否かが判別される。他にも情報グループがあると判別された場合（ステップＳ１００；ＹＥＳ）、次の情報グループが参照される（ステップＳ１０１）。ステップＳ１０１の実行後、ステップＳ９５に移行される。
【００９６】
ステップＳ１００において、他に情報グループがないと判別された場合（ステップＳ１００；ＮＯ）、サービス提供中リスト１６１が表示部５４５に表示される（ステップＳ１０２）。具体的には、図１８に示すように、表示部５４５にサービス提供中リスト１６１が表示される。例えば、○□△ＳＣ○○店  〜２０：００と表示部５４５に表示される。これは、○□△ＳＣ○○店は、２０：００までサービスの提供を行っていることを示している。ステップＳ１０２の実行後、サービス提供中リスト表示処理は終了される。
【００９７】
次に、図１９及び図２０を参照して、サービス提供予定リスト作成処理を説明する。サービス提供予定リスト作成処理は、サービス提供を予定している店名等の情報を含んだサービス予定リストとしてのサービス提供予定リスト１８１を作成する処理である。サービス提供予定リスト作成処理は、車載器処理と同時並行して実行される。
【００９８】
例えば、ユーザにより操作部５４４を介してサービス提供予定リスト作成処理の実行指示の入力がされたこと等をトリガとして、ＲＯＭ５１２から読み出されて適宜ＲＡＭ５１３に展開されたサービス提供予定リスト作成プログラムと、ＣＰＵ５１１との協働によりサービス提供予定リスト作成処理が実行される。
【００９９】
ステップＳ１１１〜ステップＳ１１５は、サービス提供中リスト表示処理のステップＳ９１〜９５と同様である。ステップＳ１１５において、有効期限開始日を過ぎていないと判別された場合（ステップＳ１１５；ＮＯ）、後述するステップＳ１２２に移行される。ステップＳ１１５において、有効期限開始日を過ぎていると判別された場合（ステップＳ１１５；ＹＥＳ）、本日の曜日にサービス提供開始時間があるか否かが判別される（ステップＳ１１６）。
【０１００】
ステップＳ１１６において、本日の曜日にサービス提供開始時間がないと判別された場合（ステップＳ１１６；ＮＯ）、後述するステップＳ１２２に移行される。ステップＳ１１６において、本日の曜日にサービス提供開始時間があると判別された場合（ステップＳ１１６；ＹＥＳ）、サービス提供予定リスト１８１に現在表示中の情報グループが追加される（ステップＳ１１７）。ここで、サービス提供予定リスト１８１とは、図２１に示すリストのことをいう。
【０１０１】
具体的には、サービス提供予定リスト１８１は、情報番号と、サービス事業者コードと、情報提供コードと、情報コードと、情報表示用テキストと、本日のサービス提供時間と、サービス中判別情報としてのサービス提供中判別データと、を含む。例えば、情報番号１には、サービス事業者コードが“０００００１”、情報提供コードが“０００００１”、情報コードが“０００００１”、情報表示用テキストが“○□△ＳＣ○○店”、本日のサービス提供時間が“１０：００−２０：００”、サービス提供中判別データが“サービス提供中”であることが登録されている。
【０１０２】
ステップＳ１１８，Ｓ１１９は、サービス提供中リスト表示処理のステップＳ９７，９８と同様である。ステップＳ１１８において、現在時刻はサービス提供時間中であると判別された場合（ステップＳ１１８；ＹＥＳ）、サービス提供中判別データがサービス提供中に設定される（ステップＳ１２１）。
【０１０３】
ステップＳ１１９において、現在時刻はサービス提供開始時間の規定時間前でないと判別された場合（ステップＳ１１９；ＮＯ）、サービス提供中判別データがサービス提供中断中に設定される（ステップＳ１２０）。ステップＳ１１９において、現在時刻はサービス提供開始時間の規定時間前であると判別された場合（ステップＳ１１９；ＹＥＳ）、ステップＳ１２１に移行される。
【０１０４】
ステップＳ１２２，Ｓ１２３は、サービス提供中リスト表示処理のステップＳ１００，１０１と同様である。ステップＳ１２３の実行後、ステップＳ１１４に移行される。
【０１０５】
ステップＳ１２２において、他に情報グループがないと判別された場合（ステップＳ１２２；ＮＯ）、サービス提供予定リスト作成処理は終了される。
【０１０６】
次に、図２２を参照して、サービス提供予定リスト更新処理について説明する。サービス提供予定リスト更新処理は、サービス提供予定リスト１８１の更新を行う処理である。サービス提供予定リスト更新処理は、第１の車載器処理と同時並行して実行される。
【０１０７】
例えば、ユーザにより操作部５４４を介してサービス提供予定リスト更新処理の実行指示の入力がされたこと等をトリガとして、ＲＯＭ５１２から読み出されて適宜ＲＡＭ５１３に展開されたサービス提供予定リスト更新プログラムと、ＣＰＵ５１１との協働によりサービス提供予定リスト更新処理が実行される。
【０１０８】
先ず、車載器５の電源がオンされているか否かが判別される（ステップＳ１３１）。電源がオンされていないと判別された場合（ステップＳ１３１；ＮＯ）、サービス提供予定リスト更新処理は終了される。電源がオンされていると判別された場合（ステップＳ１３１；ＹＥＳ）、規定時間が経過しているか否かが判別される（ステップＳ１３２）。規定時間が経過していないと判別された場合（ステップＳ１３２；ＮＯ）、ステップＳ１３１に移行される。規定時間が経過していると判別された場合（ステップＳ１３２；ＹＥＳ）、サービス提供予定リスト１８１が参照され、サービス提供予定リスト１８１にデータがあるか否かが判別される（ステップＳ１３３）。サービス提供予定リスト１８１にデータがないと判別された場合（ステップＳ１３３；ＮＯ）、ステップＳ１３１に移行される。サービス提供予定リスト１８１にデータがあると判別された場合（ステップＳ１３３；ＹＥＳ）、現在日時が取得される（ステップＳ１３４）。
【０１０９】
ステップＳ１３４の実行後、サービス提供予定リスト１８１の先頭データが参照される（ステップＳ１３５）。そして、現在時刻はサービス提供時間中であるか否かが判別される（ステップＳ１３６）。具体的には、計時部５４７から取得された現在時刻と、サービス提供予定リスト１８１の本日のサービス提供時間とが参照され、本ステップの判別が行われる。
【０１１０】
ステップＳ１３６において、現在時刻はサービス提供時間中でないと判別された場合（ステップＳ１３６；ＮＯ）、現在時刻はサービス提供開始時間の規定時間前であるか否かが判別される（ステップＳ１３７）。具体的には、計時部５４７から取得された現在時刻、サービス提供予定リスト１８１のサービス提供時間及び規定時間が参照され、本ステップの判別が行われる。例えば、サービス提供開始時間が１０：００、規定時間が１時間である場合、現在時刻からサービス提供開始時間（１０：００）までの時間が規定時間（１時間）内であるか否かが判別される。
【０１１１】
ステップＳ１３７において、現在時刻はサービス提供開始時間の規定時間前でないと判別された場合（ステップＳ１３７；ＮＯ）、サービス提供中判別データがサービス中断中に設定される（ステップＳ１３８）。ステップＳ１３８の実行後、後述するステップＳ１４０に移行される。ステップＳ１３７において、現在時刻はサービス提供開始時間の規定時間前であると判別された場合（ステップＳ１３７；ＹＥＳ）、後述するステップＳ１３９に移行される。
【０１１２】
ステップＳ１３６において、現在時刻はサービス提供時間中であると判別された場合（ステップＳ１３６；ＹＥＳ）、サービス提供中判別データがサービス提供中に設定される（ステップＳ１３９）。そして、サービス提供予定リスト１８１が参照され、サービス提供予定リスト１８１にまだデータがあるか否かが判別される（ステップＳ１４０）。サービス提供予定リスト１８１にデータがないと判別された場合（ステップＳ１４０；ＮＯ）、ステップＳ１３１に移行される。
【０１１３】
ステップＳ１４０において、サービス提供予定リスト１８１にまだデータがあると判別された場合（ステップＳ１４０；ＹＥＳ）、次のサービス提供予定リスト１８１のデータが参照される（ステップＳ１４１）。ステップＳ１４１の実行後、ステップＳ１３６に移行される。  
【０１１４】
次に、図２３を参照してサービス提供予定リスト表示処理を説明する。サービス提供予定リスト表示処理は、表示リスト２１１を表示部５４５に表示させる処理である。サービス提供予定リスト表示処理は、第１の車載器処理と同時並行して実行されてもよい。
【０１１５】
例えば、ユーザにより操作部５４４を介してサービス提供予定リスト表示処理の実行指示の入力がされたこと等をトリガとして、ＲＯＭ５１２から読み出されて適宜ＲＡＭ５１３に展開されたサービス提供予定リスト表示プログラムと、ＣＰＵ５１１との協働によりサービス提供予定リスト表示処理が実行される。
【０１１６】
先ず、サービス提供予定リスト１８１が参照され、サービス提供予定リスト１８１にデータがあるか否かが判別される（ステップＳ１５１）。サービス提供予定リスト１８１にデータがないと判別された場合（ステップＳ１５１；ＮＯ）、本日のサービス提供予定情報がないことが通知される（ステップＳ１５２）。具体的には、本日のサービス提供予定情報がないことが表示部５４５に表示、又は本日のサービス提供予定情報がないことが発話部５４６を介して発話される。ステップＳ１５２の実行後、サービス提供予定リスト表示処理は終了される。
【０１１７】
ステップＳ１５１において、サービス提供予定リスト１８１にデータがあると判別された場合（ステップＳ１５１；ＹＥＳ）、サービス提供予定リスト１８１の先頭データが参照される（ステップＳ１５３）。そして、サービス提供予定リスト１８１の情報表示用テキストが表示リスト２１１として表示部５４５に表示される（ステップＳ１５４）。表示リスト２１１とは、例えば、図２４に示すリストのことをいう。
【０１１８】
ステップＳ１５４の実行後、サービス提供予定リスト１８１のサービス提供中判別データが参照され、サービス提供中判別データはサービス提供中であるか否かが判別される（ステップＳ１５５）。例えば、現在時刻が１２：００の場合、サービス提供予定リスト１８１の情報番号：「１」の○□△ＳＣ○○店のサービス判別データは“サービス提供中”となる。この場合、サービス提供判別データはサービス提供中断中と判別される。また、現在時刻が１２：００の場合、サービス提供予定リスト１８１の情報番号「３」の○○スポーツクラブのサービス判別データは、“サービス提供中断中”となる。この場合、サービス提供判別データはサービス提供中断中と判別される。
サービス提供中判別データはサービス提供中でないと判別された場合（ステップＳ１５５；ＮＯ）、表示リスト２１１の背景色がサービス提供中断中の規定色に設定される（ステップＳ１５６）。例えば、図２４の表示リスト２１１におけるサービス提供中断中と判別されたデータ（サービス中断表示部２１１Ａ）の背景色が規定色（図２４では網掛け部）に設定される。そして、サービス提供開始時間が表示リスト２１１に表示される（ステップＳ１５７）。例えば、図２４の表示リスト２１１におけるサービス中断表示部２１１Ａに示すように、サービス提供開始時間（例えば、○○○スポーツクラブの場合、１３：００〜２３：００）が表示リスト２１１に表示される。ここで、サービス提供開始時間のみ（例えば、○○○スポーツクラブの場合、１３：００）が表示リスト２１１に表示されることとしてもよい。ステップＳ１５７の実行後、後述するステップＳ１６０に移行される。
【０１１９】
ステップＳ１５５において、サービス提供中判別データはサービス提供中であると判別された場合（ステップＳ１５５；ＹＥＳ）、表示リスト２１１の背景色がサービス提供中規定色に設定される（ステップＳ１５８）。例えば、図２４の表示リスト２１１におけるサービス提供提供中と判別されたデータ（サービス提供表示部２１１Ｂ）の背景色が規定色（図２４では反転で示されている）に設定される。そして、サービス提供終了時間が表示リスト２１１に表示される（ステップＳ１５９）。例えば、図２１の表示リスト２１１におけるサービス提供表示部２１１Ｂに示すように、サービス提供終了時間（例えば、○□△ＳＣ○○店の場合、１０：００〜２０：００）が表示リスト２１１に表示される。ここで、サービス提供終了時間のみ（例えば、○○○スポーツクラブの場合、２０：００）が表示リスト２１１に表示されることとしてもよい。
【０１２０】
ステップＳ１５９の実行後、サービス提供予定リスト１８１が参照され、サービス提供予定リスト１８１にまだデータがあるか否かが判別される（ステップＳ１６０）。サービス提供予定リスト１８１にまだデータがあると判別された場合（ステップＳ１６０；ＹＥＳ）、次のサービス提供予定リスト１８１のデータが参照される（ステップＳ１６１）。ステップＳ１６１の実行後、ステップＳ１５５に移行される。
【０１２１】
ステップＳ１６０において、サービス提供予定リスト１８１にデータがないと判別された場合（ステップＳ１６０；ＮＯ）、サービス提供予定リスト表示処理は終了される。
【０１２２】
以上、本実施の形態によれば、サービス提供時間と現在時刻との判別結果に基づいて、サービス提供時間に含まれる時間情報（サービス提供開始時間、サービス提供中断時間、サービス提供終了時間等）を表示部５４５に表示、又は発話部５４６に発話させる。これにより、ユーザは、サービス提供元のサービス時間（サービス提供開始時間、サービス提供中断時間、サービス提供終了時間等）を知るための煩雑な操作の手間をなくすことができる。
【０１２３】
また、現在時刻がサービス提供時間中であると判別された場合、又は現在時刻からサービス提供開始時間までの時間が規定時間内であると判別された場合は、サービス提供開始時間を表示部５４５に表示、又は発話部５４６に発話させる。これにより、ユーザは、サービス提供開始時間を知るための煩雑な操作の手間をなくすことができる。
【０１２４】
また、現在時刻から現在時刻以降のサービス提供開始時間までの時間が規定時間内であると判別された場合は、サービス提供中断時間を表示部５４５に表示、又は発話部５４６に発話させる。これにより、ユーザは、サービス提供中断時間を知るための煩雑な操作の手間をなくすことができる。
【０１２５】
また、現在時刻から現在時刻以降のサービス提供開始時間までの時間が規定時間内でないと判別された場合は、サービス終了時間を表示部５４５に表示、又は発話部５４６に発話させる。これにより、ユーザは、サービス終了時間を知るための煩雑な操作の手間をなくすことができる。
【０１２６】
また、現在時刻がサービス提供期間中であると判別された場合は、サービス提供中リスト１６１を表示部５４５に表示させる。これにより、ユーザは、サービス提供中リスト１６１を参照できるので、サービス中であるサービス元を知るための煩雑な操作の手間をなくすことができる。
【０１２７】
また、現在時刻からサービス提供開始時間までの時間が規定時間内であると判別された場合は、サービス提供中リスト１６１を表示部５４５に表示させる。これにより、ユーザは、サービス提供中リスト１６１を参照できるので、サービス中であるサービス提供元を知るための煩雑な操作の手間をなくすことができる。
【０１２８】
（変形例）
図２５及び図２６を参照して、本発明に係る第１の実施の形態の変形例を説明する。以下、車載器５と同様な部分には同一の符号を付し、その詳細な説明を援用し、異なる部分について説明する。
【０１２９】
図２５及び図２６に第２の起動時サービス提供時間確認処理を示す。第２の起動時サービス提供時間確認処理は、サービスを提供する店の位置情報を参照して、サービス提供時間をユーザに知らせる処理である。
【０１３０】
例えば、ユーザにより操作部５４４を介して第２の起動時サービス提供時間確認処理の実行指示の入力がされたこと等をトリガとして、ＲＯＭ５１２から読み出されて適宜ＲＡＭ５１３に展開された第２の起動時サービス提供時間確認プログラムと、ＣＰＵ５１１との協働により第２の起動時サービス提供時間確認処理が実行される。
【０１３１】
ステップＳ２０１は、第１の起動時サービス提供時間確認処理のステップＳ４１と同様である。ステップＳ２０１において、サービス提供時間通知リスト７１にデータがあると判別された場合（ステップＳ２０１：ＹＥＳ）、現在日時及び現在位置情報が取得される（ステップＳ２０２）。ステップＳ２０３は、第１の起動時サービス提供時間確認処理のステップＳ４３と同様である。
【０１３２】
ステップＳ２０３の実行後、対象地点座標は現在位置から規定範囲内であるか否かが判別される（ステップＳ２０４）。具体的には、情報データに含まれる対象地点座標、現在位置及び規定範囲値が参照され、本ステップの判別が行われる。対象地点座標とは、サービスの提供元の位置情報のことをいう。対象地点座標は現在位置から規定範囲内でないと判別された場合（ステップＳ２０４；ＮＯ）、参照中のデータをサービス提供時間通知リスト７１から削除するか否かが判別される（ステップＳ２０５Ａ）。具体的には、現在位置が対象地点座標から規定範囲よりも離れているか否かに基づいて、本ステップが判別される。例えば、現在位置が対象地点座標から規定範囲よりも離れている場合は、後述するステップＳ２０５Ｂに移行される。現在位置が対象地点座標から規定範囲よりも離れていない場合は、後述するステップＳ２０５Ｃに移行される。
ステップＳ２０５Ａにおいて、参照中のデータをサービス提供時間通知リスト７１から削除すると判別された場合（ステップＳ２０５Ａ；ＹＥＳ）、参照中のデータがサービス提供時間通知リスト７１から削除される（ステップＳ２０５Ｂ）。ステップＳ２０５Ａにおいて、参照中のデータをサービス提供時間通知リスト７１から削除しないと判別された場合（ステップＳ２０５Ａ；ＮＯ）、参照中のデータがサービス提供時間通知リスト７１に残される（ステップＳ２０５Ｃ）。ステップＳ２０５Ｂ又はステップＳ２０５Ｃの実行後、ステップＳ２１５に移行される。
【０１３３】
ステップＳ２０４において、対象地点座標は現在位置から規定範囲内であると判別された場合（ステップＳ２０４；ＹＥＳ）、ステップＳ２０６に移行される。
【０１３４】
ステップＳ２０６〜ステップＳ２１６は、第１の起動時サービス提供時間確認処理のステップＳ４４〜Ｓ５４と同様である。
【０１３５】
以上、本変形例によれば、サービス提供元の位置情報が現在位置から規定範囲外であると判別された場合に、サービス時間情報に含まれる時間情報（サービス提供開始時間、サービス提供中断時間、サービス提供終了時間等）を表示部５４５に表示、又は発話部５４６に発話させないことができる。
【０１３６】
なお、上記実施の形態及び変形例における記述は、本発明に係る車載器の一例であり、これに限定されるものではない。
【０１３７】
例えば、上記実施の形態及び変形例では、サービス時間情報に含まれる時間情報としてサービス提供開始時間、サービス提供中断時間、サービス提供終了時間等を表示部５４５に表示、又は発話部５４６に発話させることとして説明したが、これに限定されるものではない。例えば、営業開始時間、営業中断時間、営業終了時間等を表示部５４５に表示、又は発話部５４６に発話させることとしてもよい。また、サービス提供時間（サービス提供開始時間、サービス提供中断時間、サービス提供終了時間）と営業時間（営業開始時間、営業中断時間、営業終了時間）との両方が合致するもののみを表示部５４５に表示、又は発話部５４６に発話させることとしてもよい。
【０１３８】
その他、上記実施の形態における車載器５の細部構成及び詳細動作に関しても、本発明の趣旨を逸脱しない範囲で適宜変更可能である。
【図面の簡単な説明】
【０１３９】
【図１】本発明に係る路車間通信システムのシステム構成を示す説明図である。
【図２】センター装置及び路側無線装置の内部構成を示すブロック図である。
【図３】路側無線装置の通信可能範囲である路側エリアの説明図である。
【図４】車載器の内部構成を示すブロック図である。
【図５】センター装置から配信されるコンテンツ情報のデータ構造の一例を示す図である。
【図６】情報グループを構成する各要素の詳細内容の一例を示す説明図である。
【図７】サービス提供時間通知リストの一例を示す説明図である。
【図８】第１のサービス提供時間通知リスト編成処理の流れを示すフローチャートである。
【図９】第１のサービス提供時間通知リスト編成処理の流れを示すフローチャートである。
【図１０】コンテンツ情報表示画面の一例を示す図である。
【図１１】コンテンツ情報表示画面の一例を示す図である。
【図１２】第１の車載器処理の流れを示すフローチャートである。
【図１３】第１の起動時サービス提供時間確認処理の流れを示すフローチャートである。
【図１４】通常サービス提供時間確認処理の流れを示すフローチャートである。
【図１５】通常サービス提供時間確認処理の流れを示すフローチャートである。
【図１６】サービス提供中リスト表示処理の流れを示すフローチャートである。
【図１７】サービス提供時間表示リストの一例を示す図である。
【図１８】サービス提供中リストを表示する表示画面を示す図である。
【図１９】サービス提供予定リスト作成処理の流れを示すフローチャートである。
【図２０】サービス提供予定リスト作成処理の流れを示すフローチャートである。
【図２１】サービス提供予定リストの一例を示す図である。
【図２２】サービス提供予定リスト更新処理の流れを示すフローチャートである。
【図２３】サービス提供予定リスト表示処理の流れを示すフローチャートである。
【図２４】表示リストを表示する表示画面を示す図である。
【図２５】第２の起動時サービス提供時間確認処理の流れを示すフローチャートである。
【図２６】第２の起動時サービス提供時間確認処理の流れを示すフローチャートである。
【符号の説明】
【０１４０】
１     センター装置
２     路側無線装置
５     車載器
５１   制御部
５２   ＤＳＲＣ部
５３   ＶＩＣＳモジュール
５４   カーナビ部
５４１  カーナビ制御部
５４２ 現在地検出部
５４３ 地図記憶部
５４４ 操作部
５４５ 表示部
５４６ 発話部
５４７ 計時部
５４８ 記憶部
５４９ ネットワーク通信部
【図１】
0005119969.tif 000002
【図２】
0005119969.tif 000003
【図３】
0005119969.tif 000004
【図４】
0005119969.tif 000005
【図５】
0005119969.tif 000006
【図６】
0005119969.tif 000007
【図７】
0005119969.tif 000008
【図８】
0005119969.tif 000009
【図９】
0005119969.tif 000010
【図１０】
0005119969.tif 000011
【図１１】
0005119969.tif 000012
【図１２】
0005119969.tif 000013
【図１３】
0005119969.tif 000014
【図１４】
0005119969.tif 000015
【図１５】
0005119969.tif 000016
【図１６】
0005119969.tif 000017
【図１７】
0005119969.tif 000018
【図１８】
0005119969.tif 000019
【図１９】
0005119969.tif 000020
【図２０】
0005119969.tif 000021
【図２１】
0005119969.tif 000022
【図２２】
0005119969.tif 000023
【図２３】
0005119969.tif 000024
【図２４】
0005119969.tif 000025
【図２５】
0005119969.tif 000026
【図２６】
0005119969.tif 000027